(57)【要約】【課題】絵馬やお守り、携帯ストラップ等、携行可能な物品に文字その他の情報を自由に、且つ多く表示できるようにする。【解決手段】情報を表示可能な表部材２と裏部材３から情報表示媒体１を構成し、表部材２と裏部材３の少なくともいずれか一方に透光性材料を使用し、表部材２と裏部材３に、透光性材料であるときに、表面側から角度を変えて背面を目視し得る程度の厚さを与える。  表部材２と裏部材３を互いに重ね、一体化させて情報表示媒体１を構成する。【選択図】図１
2008142250.tif 000002
【特許請求の範囲】
【請求項１】
情報を表示可能な表部材と裏部材を備え、前記表部材と前記裏部材の少なくともいずれか一方は透光性材料であり、前記表部材と前記裏部材は共に、透光性材料であるときに、表面側から角度を変えて背面を目視し得る程度の厚さを有し、前記表部材と前記裏部材が互いに重なり、一体化していることを特徴とする情報表示媒体。
【請求項２】
前記裏部材と前記表部材の、互いに対向する面の内の少なくともいずれか一方に凹部が形成されていることを特徴とする請求項１に記載の情報表示媒体。
【請求項３】
前記裏部材と前記表部材との間に不透光性部材が介在していることを特徴とする請求項１、もしくは請求項２に記載の情報表示媒体。
【請求項４】
前記表部材と前記裏部材は互いに分離自在であることを特徴とする請求項１乃至請求項３のいずれかに記載の情報表示媒体。
【発明の詳細な説明】
【技術分野】
【０００１】
本発明は例えば絵馬やお守り、キーホルダー等の携行可能な物品に文字その他の情報を自由に表示できるようにした情報表示媒体に関するものである。
【背景技術】
【０００２】
絵馬や携帯ストラップ等、絵や文字、図形、記号等の情報が表示される媒体は木材やプラスチック等から板状に成型される等、不透明な材料で形成されることが多いため、情報の表示面は主として媒体の表面と裏面の２面に限られている。不透明である以上、仮に２枚の媒体を重ねても互いに重なる面には情報を表示する余地がないため、媒体に対して自由に書き込める情報の量は制限される。
【０００３】
そこで、例えば媒体の表面に、情報の表示が可能な、透明なシートを貼着すれば、媒体の表面とシートの表面のいずれにも情報を表示することができるため、媒体とシートのいずれかに対し、選択的に情報を書き込むことが可能である（特許文献１参照）。この手法によれば、媒体の表面とシートの表面のそれぞれに情報を表示することも不可能ではない（図１−（ｂ）、図５）。
【０００４】
【特許文献１】特開２００３−５２５２８号公報（請求項６、段落００１３〜００２０、００３４、図１、図２、図５）
【発明の開示】
【発明が解決しようとする課題】
【０００５】
しかしながら、特許文献１のシート自身は厚みを有していないことから、媒体表面とシート表面の同一箇所に類似の情報を表示した場合には、媒体表面の情報をシートの情報が覆う形になるため、見る角度を変えても、シートの表面越しに媒体表面の情報を見ることはできない。
【０００６】
従って媒体表面とシート表面のそれぞれに情報を表示する場合には、それぞれの表示位置をずらす必要があるが、そのような表示をしても情報が重複することになるため、表示の意味がない。特許文献１ではシートが実質的に厚みを有しない以上、シートの側面から媒体表面の情報を見ることもできない。
【０００７】
元々、特許文献１における透明なシート（表面材３）は媒体（芯材２）の表面を保護する目的から媒体の表面に複数枚積層して貼着されるため（段落００１３）、本来的にはシートの情報を表示しながら、媒体表面の情報を外部に見せる機能を有していない。
【０００８】
本発明は上記背景より、特許文献１のシートに相当する表部材越しに、特許文献１の芯材に相当する裏部材表面の情報を目視することが可能な情報表示媒体を提案するものである。
【課題を解決するための手段】
【０００９】
請求項１に記載の発明の情報表示媒体は、情報を表示可能な表部材と裏部材を備え、前記表部材と前記裏部材の少なくともいずれか一方が透光性材料であり、前記表部材と前記裏部材が共に、透光性材料であるときに、表面側から角度を変えて背面を目視し得る程度の厚さを有し、前記表部材と前記裏部材が互いに重なり、一体化していることを構成要件とする。表部材と裏部材は互いに一体化した状態で安定できる程度に、対向する面の内の少なくとも一部において重なればよく、必ずしも全面において重なる必要はない。
【００１０】
透光性材料とは、本発明では部材の表面側から背面に表示された情報を読み取ることができる程度の透明性を有する材料のことを言い、材料自体は限定されない。請求項１では表部材と裏部材のいずれか一方のみが透光性材料である場合と、表部材と裏部材の双方が透光性材料である場合がある。
【００１１】
透光性材料であるときに、角度を変えて背面を目視し得る程度の厚さとは、表部材の表面に垂直な方向から表面を見たときには、その表面しか目視することができないが、それに対して角度をなす方向から表面を見たときに、表部材の表面と背面を目視することができることを意味する。
【００１２】
例えば表部材の表面と背面の同一位置に類似の情報が表示されている場合において、表面に垂直な方向から見たときに背面の情報を見ることができなくても、見る角度を変えることで、背面の情報を読み取ることができることを言う。このことは他の表現を借りれば、表部材、または裏部材の側面を平面（平坦）に形成したときに、表部材、または裏部材が側面を下にして起立可能な厚さを有する、と言い換えることもできる。
【００１３】
情報は絵や文字、図形、記号等の総称の意味を持つ。情報表示媒体は先に例示した絵馬、お守り、キーホルダー、携帯ストラップの他、カード等、携行可能な媒体全般を含む。情報は主として表面材の表面及び背面と、裏面材の表面及び背面の少なくともいずれかに付されるが、側面に付されることもある。
【００１４】
表部材と裏部材は互いに一体化することにより情報表示媒体を構成する。情報表示媒体が絵馬やカードの場合には表部材と裏部材は基本的に板状に形成されるが、キーホルダー等の場合には必ずしもその必要はない。双方の対向する面の内の少なくとも一部に、互いに密着可能な平面、または曲面を有していれば表部材と裏部材の形態は問われず、表部材と裏部材が組み合わせられたときに回転体形状、またはそれに近似した形状になることもある。表部材と裏部材の側面も平面（平坦）である必要はなく、曲面の場合もある。
【００１５】
情報表示媒体が情報を表示可能な表部材と裏部材を備え、表部材と裏部材の少なくともいずれか一方が透光性材料であることで、表部材の表裏面と、裏部材の表裏面の４面に表示した情報を透光性材料を通じて目視することが可能であり、従来の媒体の２倍の情報表示量が確保される。
【００１６】
また表部材と裏部材が共に、透光性材料であるときに、表面側から角度を変えて背面を目視し得る程度の厚さを有することで、例えば表部材の背面、もしくは裏部材の表面と表部材の表面の同一位置に類似の情報が表示された場合にも、見る角度を変えることで、表部材越しに表部材背面、もしくは裏部材表面の情報を見ることが可能である。表部材と裏部材が一定の厚さを有することで、表部材の側面からも表部材背面、もしくは裏部材表面の情報を見ることが可能であるため、裏部材と表部材に付された情報の伝達効果が高い。
【００１７】
請求項２に記載の情報表示媒体は請求項１において、裏部材と表部材の、互いに対向する面の内の少なくともいずれか一方に凹部が形成されていることを構成要件とする。この場合、凹部の深さ以下の大きさであれば、凹部内に小型のお守りやそれに類似した部品等を格納することができるため、媒体にお守り等の機能を付与することが可能になる。また、部品等を凹部内で転がり得る大きさと形に形成すれば、部品等の全面に付した情報を表示させることも可能であり、情報表示媒体の機能と形態に多様性を持たせることが可能である。
【００１８】
請求項２では裏部材凹部の表面、または表部材凹部の背面にも情報を表示することができる。その場合、凹部内に格納された部品等が小型であれば、凹部内に表示された情報の伝達を阻害することはない。また凹部を利用して簡易なゲームを格納することも不可能ではないため、機能と形態の多様性が増大し得る。
【００１９】
請求項３に記載の情報表示媒体は請求項１、もしくは請求項２において、裏部材と表部材の間に不透光性部材が介在していることを構成要件とする。この場合、不透光性部材の介在により、裏部材背面、または裏部材表面の情報を表部材表面から見ることはできないものの、表部材が透光性材料であれば、不透光性部材表面の情報を見ることができるため、情報表示媒体としては表部材の背面を含め、少なくとも４面への情報の表示の機能は維持される。
【００２０】
請求項３において、裏部材にも透光性材料を使用すれば、裏部材の背面側から不透光性部材背面の情報、または裏部材表面の情報も見ることができるため、情報表示媒体としての情報の表示可能面が５面、もしくは６面になり、情報の表示量が増大する。
【００２１】
請求項４に記載の情報表示媒体は請求項１乃至請求項３のいずれかにおいて、表部材と裏部材が互いに分離自在であることを構成要件とする。この場合、表部材と裏部材が分離自在であることで、複数種類の表部材と裏部材を用意し、それぞれの重なる面に同一の形状を与えておけば、ある裏部材（表部材）に対して表部材（裏部材）を選択することができ、表部材と裏部材の組み合わせの自由度が増すため、情報表示媒体の形態の多様性が一層増大する。表部材と裏部材を分離自在に接合することは、ねじや嵌合等の手段を用いることにより可能になるが、手段は問われない。
【００２２】
請求項４ではまた、裏部材と表部材のいずれかに凹部を形成した場合に、その中に格納される部品等を交換する、または裏部材と表部材との間に介在する不透光性部材を交換することも可能になる他、表部材と裏部材の接触面を清掃することも可能になる。
【発明の効果】
【００２３】
情報を表示可能な表部材と裏部材を備え、少なくともいずれか一方が透光性材料であるため、表部材の表裏面と裏部材の表裏面の４面に情報を表示することが可能であり、従来の媒体の２倍の表示量を確保することができる。
【００２４】
特に透光性材料が表面側から角度を変えて背面を目視し得る程度の厚さを有することで、表部材の表面側からその背面、もしくは裏部材の表面の情報を見ることができるため、情報の表示効果が高い。
【発明を実施するための最良の形態】
【００２５】
以下、図面を用いて本発明を実施するための最良の形態を説明する。
【００２６】
図１は情報を表示可能な表部材２と、同じく情報を表示可能な裏部材３とを備え、表部材２と裏部材３の少なくともいずれか一方が透光性材料であり、表部材２と裏部材３が共に透光性材料であるときに、表面側から角度を変えて背面を目視し得る程度の厚さを有し、表部材２と裏部材３が互いに重なり、一体化している情報表示媒体１の具体例を示す。
【００２７】
図面では情報表示媒体１の具体例として絵馬を製作した場合を例示しているが、情報表示媒体１はこの他、前記の通り、キーホルダー等としても成型される。また表部材２と裏部材３の肉厚を可能な限り、抑えることで、財布や定期入れ等に収納可能なカードとして成型されることもできる。
【００２８】
表部材２と裏部材３の各表面及び背面、更には側面には絵や文字、図形、記号等の情報を書き込みや印刷、貼付、または刻印その他の何らかの手段によって表示することが可能である。前記のように表面越しに背面を目視し得る厚さを有してさえいれば、表部材２と裏部材３の材料は問われない。情報は主として表部材２と裏部材３の表面と背面の少なくともいずれかに表示される。図面では表部材２と裏部材３の各表裏の関係が分かるように、情報として文字を表示している。
【００２９】
透光性材料としては、アクリル樹脂、ＰＥＴ（ポリエチレンテレフタレート）、塩化ビニル等の各種プラスチックの他、ガラス、水晶等、透明、もしくは半透明の材料が使用される。透光性材料は表部材２と裏部材３のいずれか一方に使用される場合と、両者に使用される場合がある。透光性材料でない材料（非透光性材料）としては、アルミニウム、スチール等の金属材料、木材、プラスチックやガラス、石膏、粘土、石材その他の材料が使用される。
【００３０】
図１は表部材２が透光性材料である場合に、表部材２の表面と裏部材３の表面及び背面に情報（文字）を表示した様子を示している。図１−（ａ）は表部材２と裏部材３を重ね合わせる前の状況を示し、（ｂ）は重ねた後の表部材２の表面を、（ｃ）は裏部材３の背面を示している。図１−（ａ）等の分解斜視図において、表面は表面材２と裏部材３の上面を指し、背面は下面を指す。
【００３１】
表部材２と裏部材３は表部材２の背面と裏部材３の表面が互いに接着されることにより、またはねじやクランプ等の接合のための部材、または嵌合等の手段により互いに接合されることにより重なった状態で一体化し、情報表示媒体１を構成する。接着の場合には接着剤や粘着剤、または粘着剤が塗布されたテープ等が使用される。表示されている情報を接着剤が阻害しないようにする上では、透光性の接着剤が使用されるか、接着剤が表部材２と裏部材３の側面に露出しないような処理が施される。
【００３２】
ねじを用いる場合、ねじは表部材２と裏部材３のいずれか一方を貫通し、他方に螺入することにより、または両者を貫通し、ナットに螺合することにより表部材２と裏部材３を接合する。ナットはいずれか一方に埋め込まれることもある。ねじは例えば情報表示媒体１の周方向に、または全体としてバランスよく配置される。この場合、表部材２は裏部材３に対して分離自在に接合される。
【００３３】
嵌合の場合には、表部材２の背面と裏部材３の表面の少なくともいずれか一方に凸部２ａが形成され、他方に凸部２ａが嵌合する凹部３ｂが形成される。表部材２と裏部材３が互いに嵌合した状態では分離可能である場合と、分離不能である場合がある。ねじ、または嵌合手段と接着剤を併用することもある。
【００３４】
表部材２と裏部材３は任意の形態を有し、互いに対向する面の少なくとも一部が面で接触する形状を有していればよく、その接触面は平面（平坦）である場合と曲面である場合がある。情報表示媒体１の用途に応じ、表部材２の表面と裏部材３の背面も平面である場合と曲面である場合がある。表部材２と裏部材３の対向する面の少なくとも一部が接触すればよいのは、図２に示すようにいずれか一方に収納部３ａが形成されることがあるためである。
【００３５】
図１の場合に、接着に水密性を有する接着剤を使用すれば、表部材２と裏部材３との間での水密性が確保されるため、裏部材３の表面、または表部材２の背面に表示された情報が雨水等によって消失する事態を回避することが可能である。同様の効果は接着剤以外の接合手段を用いた場合にも、水密性を有するシーリング材を使用することで得られる。
【００３６】
図２〜図４は非透光性材料である裏部材３の表部材２側の表面側に、凹となった収納部３ａを形成し、この収納部３ａ内にお守り、サイコロその他の部品４を収納し、この裏部材３に透光性材料である表部材２を重ねて一体化させた場合の情報表示媒体１の構成例を示す。この例においても裏部材３と表部材２は接着、ねじ、嵌合等の手段によって一体化させられる。
【００３７】
図２〜図４では裏部材３の縁に沿った周囲を除いて収納部３ａを形成しているが、収納部３ａは周囲を除いたいずれかの領域に、部分的に複数個形成されることもある。またここでは収納部３ａの深さを全面に亘って一定にしているが、必ずしもその必要はなく、部品４が収納部３ａ内に格納されさえすればよい。
【００３８】
図２では部品４が収納部３ａ内において自由に移動（スライド）できるよう、部品４を立方体状（サイコロ状）に形成し、その高さを収納部３ａの深さより小さくしているが、部品４は任意の立体形状に形成される。部品４には情報の表示手段としての機能が与えられる他、お守りのような性格を付与される。
【００３９】
図３−（ａ）は収納部３ａ内に部品４を格納した裏部材３に表部材２を重ねて一体化させた様子を、（ｂ）はそのＡ−Ａ線の断面図を示す。図３では表部材２と裏部材３への情報を省略している。図４−（ａ）は図２、図３に示す情報表示媒体１において、表部材２の表面と裏部材３の表面（収納部３ａの表面）に情報を表示したときの様子を示している。図４−（ａ）は図２に対応し、（ｂ）は図３−（ａ）に対応する。
【００４０】
図５は図３において、表部材２と裏部材３に同一位置で両者を貫通する貫通孔５を形成し、この貫通孔５に紐、チェーンその他の吊り材６を挿通させ、情報表示媒体１の携行の便宜を図ったときの様子を示している。図５では収納部３ａを外した位置である表部材２と裏部材３の周囲に貫通孔５を形成しているが、貫通孔５回りの水密性が確保されれば、収納部３ａの位置に形成することもある。
【００４１】
図６は裏部材３と表部材２の間に不透光性部材７を介在させた情報表示媒体１の構成例を示す。ここでは表部材２と裏部材３の双方に透光性材料を使用している。図面では不透光性部材７を裏部材３及び表部材２と同一形状のシート状に形成しているが、不透光性部材７が裏部材３と表部材２に挟持された状態を維持することができれば、不透光性部材７の形状と大きさ、厚さは任意である。
【００４２】
図６−（ｂ）は表部材２の表面を、（ｃ）は裏部材３の背面を示す。表部材２と裏部材３に透光性材料を使用しているため、表部材２の表面からは不透光性部材７の表面の情報「図２」が認識され、裏部材３の背面からは不透光性部材７の背面の情報「図３」が認識される。
【００４３】
図６−（ｂ）に示すように表部材２の表面と不透光性部材７の表面（表部材２背面）の同一位置に類似形状の情報を表示しても、表部材２が透光性材料であれば、見る角度を変えることで、その表面越しに不透光性部材７の表面（表部材２背面）の情報を目視することができる。同様に（ｃ）に示すように裏部材３の背面と不透光性部材７の背面（裏部材３表面）の同一位置に類似形状の情報を表示しても、裏部材３が透光性材料であれば、その背面越しに不透光性部材７の背面（裏部材３表面）の情報を目視することができる。
【００４４】
図７は裏部材３の収納部３ａを情報表示媒体１の外形に対応した形状に形成し、この収納部３ａに不透光性部材７を嵌合、もしくは遊嵌させることにより、裏部材３と表部材２間に、厚みを有する不透光性部材７を介在させた情報表示媒体１の構成例を示す。ここでも表部材２と裏部材３の双方に透光性材料を使用している。
【００４５】
図７−（ｂ）は表部材２の表面を、（ｃ）は裏部材３の背面を示す。表部材２の表面からは不透光性部材７の表面の情報「図２」が認識され、裏部材３の背面からは不透光性部材７の背面の情報「図３」が認識される。
【００４６】
図７において不透光性部材７の厚さを収納部３ａの深さと同一にしておけば、裏部材３と表部材２を接合したときに不透光性部材７を収納部３ａ内で動かないように安定させることもできるが、図面では不透光性部材７の厚さを収納部３ａの深さより小さくし、不透光性部材７が厚さ方向に移動できるようにしている。図８は図７−（ｃ）のＢ−Ｂ線の断面図である。
【００４７】
図９は表部材２背面の周囲に突起状の凸部２ａを形成し、周囲を除いて収納部３ａが形成された裏部材３の表面側に凹部３ｂを形成し、凸部２ａを凹部３ｂに嵌合させることにより表部材２と裏部材３を互いに接合する場合の例を示す。嵌合による組み合わせは裏部材３に凸部を、表部材２に凹部を形成しても同じである。図面では凸部２ａをピン（棒）状に形成しているが、凸部２ａとそれに対応する凹部３ｂの形状は任意である。
【００４８】
凸部２ａと凹部３ｂの嵌合のみの場合には、表部材２は裏部材３に対して分離自在に接合されるが、例えば凹部３ｂ内に接着剤を充填しておけば、表部材２と裏部材３は分離不能に接合される。図９では凸部２ａと凹部３ｂを情報表示媒体１の周方向に部分的に形成しているが、連続的に形成することもある。また例えば凸部２ａの太さをその軸方向に変化させれば、凹部３ｂへの嵌合状態で凸部２ａを安定させ、凸部２ａを抜け出しにくくすることもできる。
【００４９】
図１０は収納部３ａが形成された裏部材３の凹部３ｂを収納部３ａの周りに連続的に形成し、表部材２の周辺部分自体を凹部３ｂに嵌合する凸部２ａとして利用した場合の情報表示媒体１の構成例を示す。この場合、表部材２は主に接着剤やねじ等により裏部材３に接合される。
【図面の簡単な説明】
【００５０】
【図１】（ａ）は透光性材料の表部材と非透光性材料の裏部材の組み合わせ例を示した分解斜視図、（ｂ）は表部材と裏部材の接合状態の表部材表面を示した斜視図、（ｃ）は（ｂ）の裏部材背面を示した斜視図である。
【図２】収納部を形成した裏部材と表部材との組み合わせ例を示した分解斜視図である。
【図３】（ａ）は図２に示す情報表示媒体の完成状態を示した斜視図、（ｂ）は（ａ）のＡ−Ａ線断面図である。
【図４】（ａ）は図２に示す情報表示媒体における裏部材の表面に情報を表示した場合の組み合わせ例を示した分解斜視図、（ｂ）は（ａ）の完成状態を示した斜視図である。
【図５】図２〜図４に示す情報表示媒体に吊り材を挿通させた場合を示した斜視図である。
【図６】（ａ）は裏部材と表部材との間に不透光性部材を介在させた場合の情報表示媒体を示した分解斜視図、（ｂ）は情報表示媒体の完成状態の表部材表面を示した斜視図、（ｃ）は（ｂ）の裏部材背面を示した斜視図である。
【図７】（ａ）は不透光性部材を裏部材の収納部内に収納させる場合の情報表示媒体を示した分解斜視図、（ｂ）は情報表示媒体の完成状態の表部材表面を示した斜視図、（ｃ）は（ｂ）の裏部材背面を示した斜視図である。
【図８】図７−（ｃ）のＢ−Ｂ線断面図である。
【図９】裏部材と表部材を嵌合により接合する場合の組み合わせ例を示した分解斜視図である。
【図１０】裏部材と表部材を嵌合により接合する場合の他の組み合わせ例を示した分解斜視図である。
【符号の説明】
【００５１】
１………情報表示媒体
２………表部材
２ａ……凸部
３………裏部材
３ａ……収納部
３ｂ……凹部
４………部品
５………貫通孔
６………吊り材
７………不透光性部材
【図１】
2008142250.tif 000003
【図２】
2008142250.tif 000004
【図３】
2008142250.tif 000005
【図４】
2008142250.tif 000006
【図５】
2008142250.tif 000007
【図６】
2008142250.tif 000008
【図７】
2008142250.tif 000009
【図８】
2008142250.tif 000010
【図９】
2008142250.tif 000011
【図１０】
2008142250.tif 000012